【手続補正書】
【提出日】平成26年10月20日(2014.10.20)
【手続補正１】
【補正対象書類名】明細書
【補正対象項目名】００８７
【補正方法】変更
【補正の内容】
【００８７】
このように、保護された低屈折率光学要素の実施形態が開示される。上記の実施及び他の実施は以下の請求項の範囲内である。本開示を、開示されたもの以外の実施形態によって実施することが可能な点は当業者には認識されるであろう。開示された実施形態は、説明を目的として提示されるものであって、限定を目的として提示されるものではなく、本開示は以下の特許請求の範囲によってのみ限定されるものである。本発明の実施形態の一部を以下の項目［１］−［３４］に記載する。
[１]
光学物品であって、
光学要素と、
前記光学要素上に配設された、１．３以下の有効屈折率を有する低屈折率層であって、該低屈折率層は、結合剤と、該結合剤中に分散された複数の金属酸化物粒子と、複数の相互に接続された空隙とを含む、低屈折率層と、
前記低屈折率層上に配設されたポリマー保護層と、を含み、前記ポリマー保護層が前記光学物品の有効屈折率を１０％超増加させることのない、光学物品。
[２]
前記ポリマー保護層が、有機修飾シリコーン又は熱可塑性シリコーンアクリレートコポリマーから形成される、項目１に記載の光学物品。
[３]
前記ポリマー保護層が、少なくとも５０，０００ｇ／ｍｏｌの平均分子量を有するポリマーから形成される、項目１又は２に記載の光学物品。
[４]
前記ポリマー保護層が架橋ポリマーを含む、項目１〜３のいずれか一項に記載の光学物品。
[５]
前記ポリマー保護層が水性エマルションから形成される、項目４に記載の光学物品。
[６]
前記ポリマー保護層が６０℃以上のＴｇを有する熱可塑性ポリマーを含む、項目１〜３のいずれか一項に記載の光学物品。
[７]
前記ポリマー保護層が感圧接着剤である、項目１〜６のいずれか一項に記載の光学物品。
[８]
前記ポリマー保護層が、前記保護層中に分散された複数のヘーズ生成粒子を含む、項目１〜７のいずれか一項に記載の光学物品。
[９]
前記ヘーズ生成粒子が１マイクロメートル以上の平均の横方向寸法を有する、項目８に記載の光学物品。
[１０]
前記金属酸化物粒子がヒュームドシリカを含む、項目１〜９のいずれか一項に記載の光学物品。
[１１]
前記低屈折率層が１〜２０マイクロメートルの範囲の厚さを有し、前記ポリマー保護層が１〜１５マイクロメートルの範囲の厚さを有する、項目１〜１０のいずれか一項に記載の光学物品。
[１２]
前記結合剤と前記複数の金属酸化物粒子の重量比が１：２以下である、項目１〜１１のいずれか一項に記載の光学物品。
[１３]
前記光学物品が少なくとも７５％のヘーズ値を有する、項目１〜１２のいずれか一項に記載の光学物品。
[１４]
前記光学物品が１０％未満のヘーズ値を有する、項目１〜１２のいずれか一項に記載の光学物品。
[１５]
前記光学要素が、偏光フィルム、拡散型フィルム、反射型フィルム、位相差フィルム、ライトガイド又は液晶ディスプレイパネルである、項目１〜１４のいずれか一項に記載の光学物品。
[１６]
前記光学要素若しくはポリマー保護層上又は前記低屈折率層と前記ポリマー保護層との間に配設された第２の低屈折率層を更に含む、項目１〜１５のいずれか一項に記載の光学物品。
[１７]
光学物品であって、
光学要素と、
前記光学要素上に配設された、１．３以下の有効屈折率を有する低屈折率層であって、該低屈折率層は、結合剤と、該結合剤中に分散された複数の金属酸化物粒子と、複数の相互に接続された空隙とを含む、低屈折率層と、
前記低屈折率層上に配設されたポリマー保護層であって、少なくとも５０，０００ｇ／ｍｏｌの平均分子量を有するポリマーから形成された、ポリマー保護層と、を含む、光学物品。
[１８]
前記ポリマー保護層が架橋ポリマーを含む、項目１７に記載の光学物品。
[１９]
前記ポリマー保護層が、少なくとも１００，０００ｇ／ｍｏｌの平均分子量を有するポリマーを含む、項目１７又は１８に記載の光学物品。
[２０]
前記ポリマー保護層が、少なくとも２５０，０００ｇ／ｍｏｌの平均分子量を有するポリマーを含む、項目１７〜１９のいずれか一項に記載の光学物品。
[２１]
前記ポリマー保護層が、少なくとも５００，０００ｇ／ｍｏｌの平均分子量を有するポリマーを含む、項目１７〜２０のいずれか一項に記載の光学物品。
[２２]
前記ポリマー保護層が、前記保護層中に分散された複数のヘーズ生成粒子を含む、項目１７〜２１のいずれか一項に記載の光学物品。
[２３]
前記ヘーズ生成粒子が１マイクロメートル以上の平均の横方向寸法を有する、項目２２に記載の光学物品。
[２４]
前記低屈折率層が１〜２０マイクロメートルの範囲の厚さを有し、前記ポリマー保護層が１〜１５マイクロメートルの範囲の厚さを有する、項目１７〜２３のいずれか一項に記載の光学物品。
[２５]
前記結合剤と前記複数の金属酸化物粒子の重量比が１：１以下である、項目１７〜２４のいずれか一項に記載の光学物品。
[２６]
前記光学物品が少なくとも７５％のヘーズ値を有する、項目１７〜２５のいずれか一項に記載の光学物品。
[２７]
前記光学要素が、偏光フィルム、拡散型フィルム、反射型フィルム、位相差フィルム、ライトガイド又は液晶ディスプレイパネルである、項目１７〜２６のいずれか一項に記載の光学物品。
[２８]
光学物品であって、
光学要素と、
前記光学要素上に配設された、１．３以下の有効屈折率を有する低屈折率層であって、該低屈折率層は、結合剤と、該結合剤中に分散された複数の金属酸化物粒子と、複数の相互に接続された空隙とを含む、低屈折率層と、
前記低屈折率層上に配設されたポリマー保護層であって、架橋ポリマーを含む、ポリマー保護層と、を含む、光学物品。
[２９]
前記低屈折率層が１〜２０マイクロメートルの範囲の厚さを有し、前記ポリマー保護層が１〜１５マイクロメートルの範囲の厚さを有する、項目２８に記載の光学物品。
[３０]
前記結合剤と前記複数の金属酸化物粒子の重量比が１：２以下である、項目２８又は２９に記載の光学物品。
[３１]
前記光学物品が少なくとも７５％のヘーズ値を有する、項目２８〜３０のいずれか一項に記載の光学物品。
[３２]
前記光学要素が、偏光フィルム、拡散型フィルム、反射型フィルム、位相差フィルム、ライトガイド又は液晶ディスプレイパネルである、項目２８〜３１のいずれか一項に記載の光学物品。
[３３]
前記ポリマー保護層が水性エマルションから形成される、項目２８〜３２のいずれか一項に記載の光学物品。
[３４]
前記ポリマー保護層が前記光学物品の有効屈折率を１０％超増加させることのない、項目２８〜３３のいずれか一項に記載の光学物品。
【手続補正２】
【補正対象書類名】特許請求の範囲
【補正対象項目名】全文
【補正方法】変更
【補正の内容】
【特許請求の範囲】
【請求項１】
光学物品であって、
光学要素と、
前記光学要素上に配設された、１．３以下の有効屈折率を有する低屈折率層であって、該低屈折率層は、結合剤と、該結合剤中に分散された複数の金属酸化物粒子と、複数の相互に接続された空隙とを含む、低屈折率層と、
前記低屈折率層上に配設されたポリマー保護層と、を含み、前記ポリマー保護層が前記光学物品の有効屈折率を１０％超増加させることのない、光学物品。
【請求項２】
光学物品であって、
光学要素と、
前記光学要素上に配設された、１．３以下の有効屈折率を有する低屈折率層であって、該低屈折率層は、結合剤と、該結合剤中に分散された複数の金属酸化物粒子と、複数の相互に接続された空隙とを含む、低屈折率層と、
前記低屈折率層上に配設されたポリマー保護層であって、少なくとも５０，０００ｇ／ｍｏｌの平均分子量を有するポリマーから形成された、ポリマー保護層と、を含む、光学物品。
【請求項３】
光学物品であって、
光学要素と、
前記光学要素上に配設された、１．３以下の有効屈折率を有する低屈折率層であって、該低屈折率層は、結合剤と、該結合剤中に分散された複数の金属酸化物粒子と、複数の相互に接続された空隙とを含む、低屈折率層と、
前記低屈折率層上に配設されたポリマー保護層であって、架橋ポリマーを含む、ポリマー保護層と、を含む、光学物品。